(57)【要約】【課題】  インサート成形品及びその成形方法であって、柱状部材の段差部と金型との接触により、樹脂を押し切ることができ、突縁部の端面における樹脂かぶりを確実に防止可能である。【解決手段】  金型(30,40)の成形面に柱状部材（例えば筒状部材20）を支持した状態で型閉じし、金型(30,40)内に樹脂を射出、充填することにより柱状部材(20)がインサート成形され、柱状部材(20)には、当該柱状部材(20)の少なくとも一端部から軸方向の外向きに突出する突縁部(61)を備え、突縁部(61)の外周は、柱状部材(20)の外周より細く形成し、一端部には、突縁部(61)の外周と柱状部材(20)の外周との間に位置し、突縁部(61)の端面に対して低くなり、金型(30,40)と接触する段差部(62)を形成した。【選択図】    図１
2019181725.tif 000002
【特許請求の範囲】
【請求項１】
金型の成形面に柱状部材を支持した状態で型閉じし、前記金型内に樹脂を射出、充填することにより前記柱状部材がインサート成形された成形品において、
前記柱状部材には、
当該柱状部材の少なくとも一端部から軸方向の外向きに突出する突縁部を備え、
前記突縁部の外周は、
前記柱状部材の外周より細く形成し、
前記一端部には、
前記突縁部の外周と前記柱状部材の外周との間に位置し、前記突縁部の端面に対して低くなり、金型と接触する段差部を形成した、
ことを特徴とするインサート成形品。
【請求項２】
前記柱状部材の前記一端部には、
当該柱状部材の外周から半径方向に外向きに張り出し、前記突縁部との間に前記段差部を有するフランジ部を備えている、
ことを特徴とする請求項１に記載のインサート成形品。
【請求項３】
前記柱状部材の外周には、
当該柱状部材の高さの途中に位置する凹凸部を形成している、
ことを特徴とする請求項１又は請求項２に記載のインサート成形品。
【請求項４】
前記段差部は、
前記成形品の端面より高く形成されている、
ことを特徴とする請求項１〜３のいずれか１項に記載のインサート成形品。
【請求項５】
請求項１〜請求項４のいずれか１項に記載のインサート成形品の成形方法であって、
前記金型には、
前記柱状部材の前記段差部に接触し、前記突縁部に向かって進行する樹脂を押し切る樹脂押し切り部を形成している、
ことを特徴とする成形品のインサート成形品の成形方法。
【請求項６】
請求項５に記載のインサート成形品の成形方法であって、
前記金型には、
前記柱状部材の前記突縁部がはまり込む環状溝を形成し、
前記環状溝の底部を、
前記突縁部の端面と離れて位置させる、
ことを特徴とするインサート成形品の成形方法。
【発明の詳細な説明】
【技術分野】
【０００１】
この発明は、柱状部材がインサート成形されたインサート成形品及びその成形方法であって、柱状部材の段差部と金型との接触により、樹脂を押し切ることができ、突縁部の端面における樹脂かぶりを確実に防止することができるようにしたものである。
【背景技術】
【０００２】
従来、ハウジングと一体に樹脂成形された締結用フランジにおいて、ボルトが挿通される部分に、金属パイプをインサート成形する「ボルト締結用フランジおよびその製造方法」が知られている（特許文献１の段落番号「００３４」及び図２参照）。
上記従来の金属パイプにおいて、フランジからの抜け落ち防止用の拡径部（肉厚部）には、端面との間で選択的に縮径されて段差部を形成する縮径部を備えていた（特許文献１の段落番号「００３４」）。
上記従来の段差部において、その寸法を、フランジを形成する樹脂材料の先端部が縮径部の周面に到達する以前に、少なくとも金属パイプの端面に到達する以前に固化されるように設定していた（特許文献１の段落番号「００３５」）。
【先行技術文献】
【特許文献】
【０００３】
【特許文献１】特許第4534839号公報
【発明の概要】
【発明が解決しようとする課題】
【０００４】
しかし、上記した従来の「ボルト締結用フランジおよびその製造方法」では、樹脂材料の流動性により、金属パイプの端面に達し、当該端面に樹脂がかぶる可能性があった。
金属パイプの端面の樹脂かぶりが発生すると、相手ボルトとのメタルタッチの関係が失われ、ボルトのゆるみが発生し易くなる。
これに対し、上記従来の段差部の寸法を長くすると、金属パイプの大型化により、フランジが大型化したり、或いは大型化を避けると成形品の肉厚が薄くなり、強度が低下するおそれがあった。
そこで、各請求項にそれぞれ記載された各発明は、上記した従来の技術の有する問題点に鑑みてなされたものであり、その目的とするところは、次の点にある。
【０００５】
（請求項１）
請求項１に記載の発明は、次の点を目的とする。
すなわち、請求項１に記載の発明は、柱状部材の少なくとも一端部に、突縁部の端面に対して低くなり、金型と接触する段差部を形成することで、当該段差部と金型との接触により、樹脂を押し切ることができ、突縁部の端面における樹脂かぶりを確実に防止することができるようにしたものである。
【０００６】
（請求項２）
請求項２に記載の発明は、上記した請求項１に記載の発明の目的に加え、次の点を目的とする。
すなわち、請求項２に記載の発明は、フランジ部に段差部を位置させることで、段差部と金型との接触面積を増加させることができるようにしたものである。
【０００７】
（請求項３）
請求項３に記載の発明は、上記した請求項１又は請求項２に記載の発明の目的に加え、次の点を目的とする。
すなわち、請求項３に記載の発明は、柱状部材の高さの途中に凹凸部を形成することで、成形品との機械的な結合力を増加させることができるようにしたものである。
【０００８】
（請求項４）
請求項４に記載の発明は、上記した請求項１〜３のいずれか１項に記載の発明の目的に加え、次の点を目的とする。
すなわち、請求項４に記載の発明は、成形品の端面より段差部を高く形成することで、当該段差部と金型との接触により樹脂を確実に押し切ることができるようにしたものである。
【０００９】
（請求項５）
請求項５に記載の発明は、上記した請求項１〜４のいずれか１項に記載の発明の目的に加え、次の点を目的とする。
すなわち、請求項５に記載の発明は、成形時に、金型の樹脂押し切り部を、成形品の段差部に接触させることで、ねじ孔部に向かって進行する樹脂を押し切ることができるようにしたものである。
【００１０】
（請求項６）
請求項６に記載の発明は、上記した請求項５に記載の発明の目的に加え、次の点を目的とする。
すなわち、請求項６に記載の発明は、成形品の前記突縁部がはまり込む環状溝を金型に形成し、当該環状溝の底部を、柱状部材において、その突縁部の端面と離れて位置させることで、突縁部の端面における樹脂かぶりを確実に防止することができるようにしたものである。
【課題を解決するための手段】
【００１１】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
【００１２】
（請求項１）
請求項１に記載の発明は、次の点を特徴とする。
第１に、例えば図５〜図７に示すように、金型（２個の金型30,40のうち、例えば下側金型40）の成形面に柱状部材（例えば筒状部材20）を支持した状態で型閉じし、金型(30,40)内に樹脂を射出、充填することにより柱状部材（例えば筒状部材20）がインサート成形された成形品(10)である。
【００１３】
ここで、「柱状部材」として、例えば図４に示すように、「筒状部材(20)」を例示したが、これに限定されず、筒状部材(20)のねじ孔部(21)の無い、例えば図９及び図１０に示すように、「棒状部材(200,300)」としてもよい。
また、「筒状部材(20)」に、例えば図４に示すように、ねじ孔部(21)を形成したが、これに限定されず、図示しないが、筒状部材(20)のねじ孔部(21)のねじ溝を省き、単なる穴状としてもよい。
【００１４】
さらに、「筒状部材(20)」のねじ孔部(21)を、例えば図４に示すように、一端部を塞いだ袋穴としたが、これに限定されず、例えば図８に示すように、「筒状部材(100)」のねじ孔部(101)の貫通穴としてもよい。
また、「柱状部材」として、例えば図４に示すように、「筒状部材(20)」のように、円筒形のものや、例えば図９に示すように、「棒状部材(200,300)」のように、円柱形のものを例示したが、これに限定されず、図示しないが、角筒形としたり、或いは、例えば図１０に示すように、角柱形に形成してもよい。
【００１５】
第２に、柱状部材（例えば筒状部材20）には、例えば図４に示すように、突縁部(61)を備える。
突縁部(61)は、例えば図４に示すように、柱状部材（例えば筒状部材20）の少なくとも一端部から軸方向の外向きに突出するものである。
第３に、突縁部(61)の外周は、例えば図４に示すように、柱状部材（例えば筒状部材20）の外周より細く形成する。
【００１６】
第４に、柱状部材（例えば筒状部材20）の一端部には、例えば図４に示すように、突縁部(61)の外周と柱状部材（例えば筒状部材20）の外周との間に位置し、突縁部(61)の端面に対して低くなり、例えば図５〜図７に示すように、金型（２個の金型30,40のうち、例えば下側金型40）と接触する段差部(62)を形成した。
【００１７】
（請求項２）
請求項２に記載の発明は、上記した請求項１に記載の発明の特徴点に加え、次の点を特徴とする。
すなわち、柱状部材（例えば筒状部材20）の一端部には、例えば図４に示すように、当該柱状部材（例えば筒状部材20）の外周から半径方向に外向きに張り出し、突縁部(61)との間に段差部(62)を有するフランジ部(60)を備えている。
【００１８】
（請求項３）
請求項３に記載の発明は、上記した請求項１又は請求項２に記載の発明の特徴点に加え、次の点を特徴とする。
すなわち、柱状部材（例えば筒状部材20）の外周には、例えば図４に示すように、当該柱状部材（例えば筒状部材20）の高さの途中に位置する凹凸部を形成している。
ここで、「凹凸部」としては、例えば図４に示すように、第１、第２環状凸部(72,73)、第１、第２環状溝(74,75）、くぼみ部(76)が相当する。
なお、第１、第２環状凸部(72,73)を、２個形成したが、これに限定されず、１個或いは３個以上形成してもよい。
【００１９】
（請求項４）
請求項４に記載の発明は、上記した請求項１〜３のいずれか１項に記載の発明の特徴点に加え、次の点を特徴とする。
すなわち、段差部(62)は、図示しないが、成形品(10)の端面(11)より高く形成されている。
【００２０】
（請求項５）
請求項５に記載の発明は、上記した請求項１〜４のいずれか１項に記載の発明の特徴点に加え、次の点を特徴とする。
すなわち、金型（２個の金型30,40のうち、例えば下側金型40）には、例えば図５〜図７に示すように、柱状部材（例えば筒状部材20）の段差部(62)に接触し、ねじ孔部(21)に向かって進行する樹脂を押し切る樹脂押し切り部(41)を形成している。
【００２１】
（請求項６）
請求項６に記載の発明は、上記した請求項５に記載の発明の特徴点に加え、次の点を特徴とする。
第１に、金型（２個の金型30,40のうち、例えば下側金型40）には、例えば図５〜図７に示すように、柱状部材（例えば筒状部材20）の突縁部(61)がはまり込む環状溝(42)を形成する。
第２に、環状溝(42)の底部を、例えば図７に示すように、突縁部(61)の端面と離れて位置させる。
【発明の効果】
【００２２】
本発明は、以上のように構成されているので、以下に記載されるような効果を奏する。
（請求項１）
請求項１に記載の発明によれば、次のような効果を奏する。
すなわち、請求項１に記載の発明によれば、柱状部材の少なくとも一端部に、突縁部の端面に対して低くなり、金型と接触する段差部を形成することで、当該段差部と金型との接触により、樹脂を押し切ることができ、突縁部の端面における樹脂かぶりを確実に防止することができる。
【００２３】
（請求項２）
請求項２に記載の発明によれば、上記した請求項１に記載の発明の効果に加え、次のような効果を奏する。
すなわち、請求項２に記載の発明は、フランジ部に段差部を位置させることで、段差部と金型との接触面積を増加させることができる。
【００２４】
（請求項３）
請求項３に記載の発明によれば、上記した請求項１又は請求項２に記載の発明の効果に加え、次のような効果を奏する。
すなわち、請求項３に記載の発明によれば、柱状部材の高さの途中に凹凸部を形成することで、成形品との機械的な結合力を増加させることができる。
【００２５】
（請求項４）
請求項４に記載の発明によれば、上記した請求項１〜３のいずれか１項に記載の発明の効果に加え、次のような効果を奏する。
すなわち、請求項４に記載の発明によれば、成形品の端面より段差部を高く形成することで、当該段差部と金型との接触により樹脂を確実に押し切ることができる。
【００２６】
（請求項５）
請求項５に記載の発明によれば、上記した請求項１〜４のいずれか１項に記載の発明の効果に加え、次のような効果を奏する。
すなわち、請求項５に記載の発明によれば、成形時に、金型の樹脂押し切り部を、成形品の段差部に接触させることで、ねじ孔部に向かって進行する樹脂を押し切ることができる。
【００２７】
（請求項６）
請求項６に記載の発明によれば、上記した請求項５に記載の発明の効果に加え、次のような効果を奏する。
すなわち、請求項６に記載の発明によれば、成形品の前記突縁部がはまり込む環状溝を金型に形成し、当該環状溝の底部を、柱状部材において、その突縁部の端面と離れて位置させることで、突縁部の端面における樹脂かぶりを確実に防止することができる。
【図面の簡単な説明】
【００２８】
【図１】図３のＡＡ線に沿う一部断面図である。
【図２】成形品の斜視図である。
【図３】成形品の平面図である。
【図４】柱状部材の一例である筒状部材を説明するものであり、同図（ａ）は正面図、同図（ｂ）は平面図、同図（ｃ）は同図（ｂ）のＢＢ断面図である。
【図５】金型の一部断面図である。
【図６】金型を型開きした様態の断面図である。
【図７】下側金型の一部拡大図である。
【図８】本発明の第２の実施例に係る柱状部材の他の一例である筒状部材を説明するものであり、同図（ａ）は正面図、同図（ｂ）は平面図、同図（ｃ）は同図（ｂ）のＣＣ断面図である。
【図９】本発明の第３の実施例に係る柱状部材の一例である棒状部材を説明するものであり、同図（ａ）は正面図、同図（ｂ）は平面図、同図（ｃ）は同図（ｂ）のＤＤ断面図である。
【図１０】本発明の第４の実施例に係る柱状部材の他の一例である棒状部材を説明するものであり、同図（ａ）は正面図、同図（ｂ）は平面図、同図（ｃ）は同図（ｂ）のＥＥ断面図である。
【発明を実施するための形態】
【００２９】
（成形品10）
図１〜図７を用いて本発明の第１の実施の形態について説明する。
図１〜図３中、10は成形品であり、締結部位に使用される。
成形品10は、図５〜図７に示すように、金型、２個の金型30,40のうち、例えば下側金型40の成形面に設けられるピン部材50に筒状部材20を嵌合して支持した状態で型閉じし、金型30,40内に樹脂を射出、充填することにより筒状部材20がインサート成形される。
【００３０】
（筒状部材20）
筒状部材20は、金属製のナットであり、図１〜図４に示すように、成形品10にインサート成形され、ねじ孔部21にボルト（図示せず）がねじ込まれるものである。
なお、筒状部材20に、図４に示すように、ねじ孔部21を形成したが、これに限定されず、図示しないが、ねじ溝を省き、単なる穴状としてもよい。また、筒状部材20を、円筒形に形成したが、これに限定されず、図示しないが、多角形の角筒形としてもよいし、又、外周を円形としたが、これに限定されず、外周を楕円形や長円形に形成してもよい。
【００３１】
筒状部材20には、図４に示すように、大別すると、各部を有する。
なお、次の（１）及び（２）については後述する。
（１）フランジ部60
（２）胴部70
なお、筒状部材20の各部は、上記した（１）及び（２）に限定されず、後述するが、フランジ部60を省き、後述する突縁部61を、筒状部材20の端面から軸方向の外向きに突出させてもよい。
【００３２】
（フランジ部60）
フランジ部60は、図４に示すように、ねじ孔部21の開口面の周囲に位置し、当該筒状部材20の外周から半径方向に外向きに環状に張り出すものである。
フランジ部60には、次の各部を有する。
なお、次の（１）及び（２）については後述する。
（１）突縁部61
（２）段差部62
【００３３】
（胴部70）
胴部70は、図４に示すように、フランジ部60から円筒形に垂下するものであり、フランジ部60からねじ孔部21が一連に形成されている。
胴部70は、図４に示すように、次の各部を有する。
なお、次の（１）〜（３）については後述する。
（１）底部71
（２）第１環状凸部72
（３）第２環状凸部73
なお、環状凸部72,73を２個形成したが、これに限定されず、１個或いは３個以上形成してもよい。
【００３４】
（突縁部61）
突縁部61は、図４に示すように、フランジ部60からねじ孔部21の開口方向に向かって突出し、開口面を環状に取り囲むものである。
突縁部61の内周は、図４（ｃ）に示すように、ねじ孔部21の開口面に向かって開いた円錐台形形に形成され、図示しないが、ボルトを挿入し易くしている。
【００３５】
なお、突縁部61を、フランジ部60から突出させたが、これに限定されず、突縁部61は、筒状部材20の少なくとも一端部から軸方向の外向きに突出するものであれば足りる。
すなわち、図示しないが、フランジ部60を省いた場合には、突縁部61を、筒状部材20の端面から軸方向の外向きに突出させ、当該突縁部61の外周を、筒状部材20の外周より細く形成させる。
【００３６】
また、突縁部61には、図１〜図４に示すように、ねじ孔部21が開口するが、ねじ孔部21の開口縁部を、軸方向の外向きに徐々に開いた円錐台形型に形成し、図示しないが、ボルトを挿入し易くしている。
【００３７】
（段差部62）
段差部62は、図４に示すように、フランジ部60に位置し、突縁部61の端面に対して低くなり、図５〜図７に示すように、２個の金型30,40のうち、下側金型40の後述する樹脂押し切り部41と接触するものである。
段差部62は、図１に示すように、成形品10の端面11と同一の平面に形成する。
なお、段差部62を、図示しないが、成形品10の端面11より高く形成してもよい。
【００３８】
また、段差部62を、フランジ部60に形成したが、これに限定されず、図示しないが、段差部62は、突縁部61の外周と筒状部材20の外周との間に位置し、突縁部61の端面に対して低くなり、図５〜図７に示すように、金型（２個の金型30,40のうち、例えば下側金型40）と接触するものであれば足りる。
すなわち、図示しないが、フランジ部60を省いた場合には、段差部62を、筒状部材20の端面に位置させる。
【００３９】
（底部71）
底部71は、図４（ａ）及び（ｂ）に示すように、同図において胴部70の下端部に位置し、ねじ孔部21の下端部を閉塞するものである。
底部71は、胴部70の外周から上方に斜面を向けた断面台形形に張り出している。
【００４０】
（第１環状凸部72）
第１環状凸部72は、図４（ａ）及び（ｂ）に示すように、胴部70の外周から環状の凸状に張り出し、同図においてフランジ部60の下方に離れて位置する。
第１環状凸部72の上面と、フランジ部60の下面との間には、環状に凹んだ第１環状溝74が形成される。第１環状溝74には、図１に示すように、成形時に樹脂が充填されることで、筒状部材20の軸方向の抜けを阻止する。
【００４１】
また、第１環状凸部72及び第１環状溝74は、後述する第２環状凸部73、第１環状溝74及びくぼみ部76とともに、「凹凸部」を形成する。
凹凸部は、図４に示すように、筒状部材20の外周であって、筒状部材20の高さの途中に位置し、凹凸状に形成されたものである。
【００４２】
（第２環状凸部73）
第２環状凸部73は、図４（ａ）及び（ｂ）に示すように、第１環状凸部72と底部71との間に位置し、第１環状凸部72と同様に、胴部70の外周から環状の凸状に張り出すものである。
第２環状凸部73の上面と、第１環状凸部72の下面との間には、環状に凹んだ第２環状溝75が形成される。第２環状溝75には、第１環状溝74と同様に、図１に示すように、成形時に樹脂が充填されることで、筒状部材20の軸方向の抜けを阻止する。
【００４３】
また、第２環状凸部73の下面と、底部71の斜面との間には、胴部70の外周から環状にくぼんだくぼみ部76を形成している。くぼみ部76には、図１に示すように、第１環状溝74及び第２環状溝75と同様に、成形時に樹脂が充填されることで、筒状部材20の軸方向の抜けを阻止する。
【００４４】
（金型30,40）
金型30,40は、図５〜図７に示すように、筒状部材20をインサート成形するものであり、大別すると、図６において上側に位置する上側金型30と、下側に位置する下側金型40とから構成されている。
【００４５】
（上側金型30）
上側金型30には、図５及び図６に示すように、成形品10の成形用のキャビティ31が形成され、当該キャビティ31はパーティングラインＰＬ、すなわちパーティング面に向かって開放する。
【００４６】
（下側金型40）
下側金型40は、図示しないが、キャビティのほか、図５〜図７に示すように、次の各部を有する。
なお、次の（１）〜（３）については後述する。
（１）ピン部材50
（２）樹脂押し切り部41
（３）環状溝42
【００４７】
（ピン部材50）
ピン部材50は、図５〜図７に示すように、成形面に立設され、筒状部材20のねじ孔部21内へ嵌合され、当該嵌合した状態において筒状部材20を支持するものである。
【００４８】
（樹脂押し切り部41）
樹脂押し切り部41は、図５〜図７に示すように、成形時に、筒状部材20の段差部62に接触し、ねじ孔部21に向かって進行する樹脂を押し切るものである。
なお、樹脂押し切り部41を、パーティングラインＰＬ上に形成したが、これに限定されず、図示しないが、段差部62を、成形品10の端面11より高く形成した場合には、パーティングラインＰＬ、すなわちパーティング面より低く形成してもよい。
【００４９】
（環状溝42）
環状溝42は、図５〜図７に示すように、成形時に、筒状部材20の突縁部61がはまり込むものである。
環状溝42の環状の底部は、図７に示すように、突縁部61の端面と離れて位置させている。
【００５０】
（成形方法）
上記した構成を有する金型30,40を用いた成形品10の成形方法について、図５及び図６を用いて説明する。
下側金型40のピン部材50には、上記した構成を有する筒状部材20のねじ孔部21をはめ込んで支持する。
つぎに、金型30,40を型閉じし、金型30,40内に樹脂を射出、充填することにより、筒状部材20がインサート成形された成形品10を成形する。
【００５１】
金型30,40内内への樹脂の充填時において、金型30,40内において、下側金型40の樹脂押し切り部41が、筒状部材20の段差部62に接触し、ねじ孔部21に向かって進行する樹脂が押し切られる。
このため、筒状部材20の突縁部61の端面における樹脂かぶりを確実に防止することができる。
また、筒状部材20の突縁部61が露呈することから、図示しないが、相手ボルト或いはナット等の金属部品とのメタルタッチの関係を維持でき、ボルトのゆるみの発生を防止できる。
【００５２】
（第２の実施の形態）
図８を用いて、本発明の第２の実施の形態について説明する。
本実施の形態の特徴は、図８に示すように、筒状部材100のねじ孔部101を、貫通穴とした点である。
具体的には、第１に、筒状部材100は、金属製で、全体として円筒形に形成され、柱状部材を構成している。なお、筒状部材100を、円筒形に形成したが、これに限定されず、図示しないが、多角形の角筒形としてもよいし、又、外周を円形としたが、これに限定されず、外周を楕円形や長円形に形成してもよい。
【００５３】
そして、筒状部材100には、上下に貫通するねじ孔部101を形成している。ねじ孔部101は、図４に示す第１の実施の形態に係るねじ孔部21が底部71が塞がれ、袋穴となっているのに対し、貫通穴である点で相違する。
なお、筒状部材100にねじ孔部101を形成したが、これに限定されず、図示しないが、ねじ溝を省き、単なる穴状としてもよい。
【００５４】
第２に、筒状部材100は、図８に示すように、大別すると、次の各部を形成している。
（１）上側フランジ部110
上側フランジ部110は、図４に示す第１の実施の形態に係るフランジ部60と同一の構造に形成され、図８に示すように、上側突縁部111及び上側段差部112を有する。
（２）下側フランジ部120
下側フランジ部120は、上側フランジ部110と上下に対称に形成され、下側突縁部121及び下側段差部122を有する。
【００５５】
（３）胴部130
胴部130は、上側フランジ部110と下側フランジ部120との間に位置し、全体が円筒形に形成されている。胴部130は、図４に示す第１の実施の形態に係る胴部70と同様に、図８に示すように、環状に所定の間隔で離れ、環状に張り出した計３個の第１環状凸部131、第２環状凸部132及び第３環状凸部133を形成している。
【００５６】
また、３個の環状凸部131〜133及び上下のフランジ部110,120の間には、環状に凹んだ計４個の第１環状溝134、第２環状溝135、第３環状溝136及び第４環状溝137を形成している。
なお、環状凸部131〜133を、３個形成したが、これに限定されず、１個、２個、或いは４個以上形成してもよい。また、環状溝134〜137を、４個形成したが、これに限定されず、１個〜３個、或いは５個以上形成してもよい。
【００５７】
（筒状部材100の成形方法）
つぎに、筒状部材100の成形方法について説明する。
筒状部材100は、図４に示す第１の実施の形態に係る筒状部材20と同様に、図５〜図７に示すピン部材50を使用し、当該ピン部材50を、図示しないが、筒状部材100のねじ孔部101を挿入することで、金型30,40の成形面に筒状部材100を支持することでインサート成形が可能である。
【００５８】
（第３の実施の形態）
図９を用いて、本発明の第３の実施の形態について説明する。
本実施の形態の特徴は、柱状部材を、図９に示すように、棒状部材200とした点である。
具体的には、第１に、棒状部材200は、金属製で、全体として円柱形に形成され、柱状部材を構成している。棒状部材200は、図４に示す第１の実施の形態に係る筒状部材20が、ねじ孔部21を有する円筒形に形成されているのに対し、円柱形である点で相違する。
なお、棒状部材200を、円柱形に形成し、外周を円形としたが、これに限定されず、図示しないが、外周を楕円形や長円形に形成してもよい。
【００５９】
第２に、棒状部材200は、図９に示すように、大別すると、次の各部を形成している。
なお、次の（１）〜（３）については後述する。
（１）上側フランジ部210
（２）下側フランジ部220
（３）胴部230
【００６０】
（上側フランジ部210）
上側フランジ部210は、図４に示す第１の実施の形態に係るフランジ部60と同一の構造に形成され、図９に示すように、上側突縁部211及び上側段差部212を有する。
【００６１】
上側突縁部211には、当該上側突縁部211より外周が小さく、軸方向に円柱形に突出した上側突軸213を形成している。
上側突軸213は、図示しないが、突縁部311と共に、成形品10（図１及参照）の端面11から突出する。
【００６２】
上側突軸213は、図示しないが、「軸」や、「ボス」（他部品を締結する際に使用される、結合部分）、「ステー」（支柱や、機械や構造物の一部の強度を補強する部材）等として使用されるものである。
なお、上側突軸213として、円柱形を例示したが、これに限定されず、角柱形に形成してもよい。
【００６３】
（下側フランジ部220）
下側フランジ部220は、上側フランジ部210と上下に対称に形成され、下側突縁部221、下側段差部222及び下側突軸223を有するものである。
【００６４】
（胴部230）
胴部230は、上側フランジ部210と下側フランジ部220との間に位置し、全体が円筒形に形成されている。
胴部230には、図４に示す第１の実施の形態に係る胴部70と同様に、所定の間隔で軸方向に離れ、環状に張り出した計２個の第１環状凸部231及び第２環状凸部232を形成している。
【００６５】
また、２個の環状凸部231,232及び上下のフランジ部210,220の間には、環状に凹んだ計３個の第１環状溝233、第２環状溝234及び第３環状溝235を形成している。
なお、環状凸部231,232を、２個形成したが、これに限定されず、１個、或いは３個以上形成してもよい。また、環状溝233〜235を、３個形成したが、これに限定されず、１個、２個、或いは４個以上形成してもよい。
【００６６】
（棒状部材200の成形方法）
つぎに、棒状部材200の成形方法について説明する。
図４に示す第１の実施の形態に係る筒状部材20においては、図５〜図７に示すように、ピン部材50を使用して、筒状部材20を下側金型40に支持した。これに対し、棒状部材200の場合には、図示しないが、ピン部材を筒状に形成し、その筒内に上側突軸213又は下側突軸223を挿入することで、金型30,40の成形面に棒状部材200を支持することでインサート成形が可能である。
【００６７】
（第４の実施の形態）
図１０を用いて、本発明の第４の実施の形態について説明する。
本実施の形態の特徴は、棒状部材300を、図１０に示すように、角柱形に形成した点である。
具体的には、第１に、棒状部材300は、金属製で、全体として角柱形に形成され、柱状部材を構成している。棒状部材300は、図９に示す第３の実施の形態に係る棒状部材300が円筒形に形成されているのに対し、角柱形である点で相違する。
なお、棒状部材300を、四角柱に形成し、これに限定されず、三角形の柱形、或いは五角形の柱形に形成してもよい。
【００６８】
第２に、棒状部材300は、図１０に示すように、大別すると、次の各部を形成している。
なお、次の（１）及び（２）については後述する。
（１）フランジ部310
（２）胴部320
【００６９】
（フランジ部310）
フランジ部310は、図４に示す第１の実施の形態に係るフランジ部60と同一の構造に形成され、図１０に示すように、突縁部311及び段差部312を有する。
【００７０】
突縁部311には、図１０に示すように、当該突縁部311より外周が小さく、軸方向に角柱形に突出した突軸313を形成している。突軸313は、図９に示す第３の実施の形態に係る上側突軸213に相当する。
なお、突軸313を、角柱形を例示したが、これに限定されず、図９に示す第３の実施の形態に係る上側突軸213と同様に、円柱形に形成してもよい。
【００７１】
（胴部320）
胴部320は、図１０に示すように、フランジ部310から角柱形に垂下するものである。
胴部70は、図４に示すように、次の各部を有する。
（１）底部321
底部321は、図４に示す第１の実施の形態に係る底部71と同様に、図１０に示すように、胴部321の外周から上方に斜面を向けた断面台形形に張り出している。
【００７２】
（２）第１、第２環状凸部322,323
第１、第２環状凸部322,323は、図４に示す第１の実施の形態に係る環状凸部72,73と同様に、図１０に示すように、所定の間隔で軸方向に離れ、断面が角柱形に張り出したものである。
なお、環状凸部322,323を、２個形成したが、これに限定されず、１個、或いは３個以上形成してもよい。
【００７３】
また、第１環状凸部322とフランジ部310との間には、胴部320の外周から断面が四角いリング状に凹んだ第１環状溝324を形成している。第１環状凸部322と第２環状凸部323との間には、第１環状溝324と同様に、断面が四角のリング状に凹んだ第２環状溝325を形成している。
第２環状溝325の下面と底部321の斜面との間には、胴部320の外周から断面が四角のリング状に凹んだくぼみ部326を形成している。くぼみ部326は、図示しないが、第１環状溝322及び第２環状溝323と同様に、成形時に樹脂が充填されることで、棒状部材300の軸方向の抜けを阻止する。
【００７４】
（棒状部材300の成形方法）
つぎに、棒状部材300の成形方法について説明する。
棒状部材300は、図９に示す第３の実施の形態に係る棒状部材300と同様に、図示しないが、筒状に形成したピン部材の筒内に突軸313を挿入することで、金型30,40の成形面に棒状部材300を支持することでインサート成形が可能である。
【００７５】
（柱状部材の全体説明）
本実施例において、「柱状部材」は、大別すると、次のものが含まれる。
なお、次の（１）及び（２）については後述する。
（１）筒状部材20,100
（２）棒状部材200,300
【００７６】
（筒状部材20,100）
「柱状部材」には、図４に示す第１の実施の形態に係る筒状部材20と、図８に示す第２の実施の形態に係る筒状部材100とが含まれる。
第１の実施の形態に係る筒状部材20は、図４に示すように、そのねじ孔部21を、一端部を塞いだ袋穴としたものである。
【００７７】
第２の実施の形態に係る筒状部材100は、図８に示すように、ねじ孔部101の貫通穴としたものである。
なお、筒状部材20,100において、ねじ孔部21,101を形成したが、これに限定されず、図示しないが、ねじ溝を省き、単なる穴状としてもよい。また、筒状部材20,100を、円筒形に形成したが、これに限定されず、図示しないが、多角形の角筒形としてもよいし、又、外周を円形に形成したが、これに限定されず、図示しないが、外周を楕円形や長円形に形成してもよい。
【００７８】
（棒状部材200,300）
「柱状部材」には、図９に示す第３の実施の形態に係る棒状部材200と、図１０に示す第４の実施の形態に係る棒状部材300とが含まれる。
第３の実施の形態に係る棒状部材200は、図９に示すように、円柱形に形成したものである。第４の実施の形態に係る棒状部材300は、図１０に示すように、角柱形に形成したものである。
なお、棒状部材200を、円柱形に形成し、外周を円形としたが、これに限定されず、図示しないが、外周を楕円形や長円形に形成してもよい。また、棒状部材300を、四角柱形に形成したが、これに限定されず、図示しないが、四角柱形以外の多角形に形成してもよい。
【符号の説明】
【００７９】
＜第１の実施の形態＞
10  成形品                  11  端面
20  筒状部材（柱状部材）    21  ねじ孔部
30  上側金型                31  キャビティ
40  下側金型                41  樹脂押し切り部
42  環状溝                  50  ピン部材
60  フランジ部
61  突縁部                  62  段差部
70  胴部
71  底部                    72  第１環状凸部
73  第２環状凸部            74  第１環状溝
75  第２環状溝              76  くぼみ部
ＰＬ  パーティングライン
＜第２の実施の形態＞
100  筒状部材              101  ねじ孔部
110  上側フランジ部
111  上側突縁部            112  上側段差部
120  下側フランジ部
121  下側突縁部            122  下側段差部
130  胴部                  131  第１環状凸部
132  第２環状凸部          133  第３環状凸部
134  第１環状溝            135  第２環状溝
136  第３環状溝            137  第４環状溝
＜第３の実施の形態＞
200  棒状部材
210  上側フランジ部        211  上側突縁部
212  上側段差部            213  上側突軸
220  下側フランジ部        221  下側突縁部
222  下側段差部            223  下側突軸
230  胴部                  231  第１環状凸部
232  第２環状凸部          233  第１環状溝
234  第２環状溝            235  第３環状溝
＜第４の実施の形態＞
300  棒状部材
310  フランジ部            311  突縁部
312  段差部                313  突軸
320  胴部
321  底部                  322  第１環状凸部
323  第２環状凸部          324  第１環状溝
325  第２環状溝            326  くぼみ部
【図１】
2019181725.tif 000003
【図２】
2019181725.tif 000004
【図３】
2019181725.tif 000005
【図４】
2019181725.tif 000006
【図５】
2019181725.tif 000007
【図６】
2019181725.tif 000008
【図７】
2019181725.tif 000009
【図８】
2019181725.tif 000010
【図９】
2019181725.tif 000011
【図１０】
2019181725.tif 000012